(57)【要約】【課題】画像を入れ替える際、ユーザに違和感を生じさせることなく、画像表示に新鮮味を与えることができる車両用表示装置を提供する。【解決手段】画像の切り替え指示を受け付けると、マイクロコンピュータ１０１は、オーディオ画像７１及び車両画像６１に対し、アニメーション処理を実行する（Ｓ３）。このアニメーション処理では、オーディオ画像７１は、大きさが徐々に大きくなり、傾きが徐々に大きくなり、濃さが徐々に濃くなるように表示される。車両画像６１は、徐々に薄くなるように表示される。マイクロコンピュータ１０１は、オーディオ画像７１と車両画像６１の濃さが同程度になった場合、オーディオ画像７１と車両画像６１の前後の順序を変更する（Ｓ５）。マイクロコンピュータ１０１は、更にアニメーション処理を続行し、第２の表示領域３２にオーディオ画像７１のみを表示させる（Ｓ８）。【選択図】図２
2014156189.tif 000002
【特許請求の範囲】
【請求項１】
表示面に各種情報が表示される表示部と、
前記表示部に表示される表示内容を制御する制御部と、
を備え、
前記制御部は、
前記表示面の任意の領域に表示された第１の画像を第２の画像に切り替える際、前記第１の画像の濃さを徐々に薄くすると同時に前記第２の画像の濃さを徐々に濃くし、
前記第１の画像の濃さが前記第２の画像の濃さと同程度になる前には、前記第１の画像が前記第２の画像よりも手前に位置することが視認されるように表示し、前記第１の画像の濃さが前記第２の画像の濃さと同程度になった後には、前記第２の画像が前記第１の画像よりも手前に位置することが視認されるように表示する、
ことを特徴とする車両用表示装置。
【請求項２】
前記制御部は、前記第２の画像を、当該第２の画像が徐々に起立することが視認されるように表示する、
ことを特徴とする請求項１記載の車両用表示装置。
【請求項３】
前記制御部は、前記第２の画像を、当該第２の画像が徐々に大きくなることが視認されるように表示する、
ことを特徴とする請求項１または２記載の車両用表示装置。
【請求項４】
表示面に各種情報が表示される表示部と、前記表示部に表示される表示内容を制御する制御部とを備えた車両用表示装置の表示方法であって、
前記表示面の任意の領域に表示された第１の画像を第２の画像に切り替える際、前記第１の画像の濃さを徐々に薄くすると同時に前記第２の画像の濃さを徐々に濃くする切替ステップと、
前記切替ステップ中、前記第１の画像の濃さが前記第２の画像の濃さと同程度になる前には、前記第１の画像が前記第２の画像よりも手前に位置することが視認されるように表示する前ステップと、
前記切替ステップ中、前記第１の画像の濃さが前記第２の画像の濃さと同程度になった後には、前記第２の画像が前記第１の画像よりも手前に位置することが視認されるように表示する後ステップと、
を有することを特徴とする車両用表示装置の表示方法。
【発明の詳細な説明】
【技術分野】
【０００１】
本発明は、画像を表示する車両用表示装置及びその表示方法に関する。
【背景技術】
【０００２】
従来、車両用表示装置として、液晶表示器等の表示デバイスを用いて、自動車用メータを画面に表示するグラフィックメータが多数出回っている（非特許文献１参照）。
【０００３】
これらのグラフィックメータの中には、その中央位置に表示されているナビゲーション等の画像を、ユーザの操作に従って他の画像に変更可能なものがある。
【０００４】
また、この種の先行技術として、３次元空間で立体的に表示されたオブジェクトを２次元平面にマッピングするまでの移動を、アニメーションで表示するものが知られている（特許文献１参照）。
【先行技術文献】
【特許文献】
【０００５】
【特許文献１】特開平１１−２４９７７４号公報
【非特許文献】
【０００６】
【非特許文献１】“Tech-On! special ECO & SMART”、［online］、富士通セミコンダクター株式会社、［ 平成２５年１月１８日検索］、インターネット＜URL：http://special.nikkeibp.co.jp/ts/article/aaa0/112983/＞
【発明の概要】
【発明が解決しようとする課題】
【０００７】
しかしながら、従来の車両用表示装置には、単に、メータの中央位置に表示されている画像を唐突に他の画像に入れ替えるだけでは、ユーザに違和感を生じさせ、また、画像表示に新鮮味が欠けるという課題があった。
【０００８】
本発明は、上述した事情に鑑みてなされたものであり、その目的は、画像を入れ替える際、ユーザに違和感を生じさせることなく、画像表示に新鮮味を与えることができる車両用表示装置及びその表示方法を提供することにある。
【課題を解決するための手段】
【０００９】
前述した目的を達成するために、本発明に係る車両用表示装置は、下記（１）〜（３）を特徴としている。
（１）  表示面に各種情報が表示される表示部と、
前記表示部に表示される表示内容を制御する制御部と、
を備え、
前記制御部は、
前記表示面の任意の領域に表示された第１の画像を第２の画像に切り替える際、前記第１の画像の濃さを徐々に薄くすると同時に前記第２の画像の濃さを徐々に濃くし、
前記第１の画像の濃さが前記第２の画像の濃さと同程度になる前には、前記第１の画像が前記第２の画像よりも手前に位置することが視認されるように表示し、前記第１の画像の濃さが前記第２の画像の濃さと同程度になった後には、前記第２の画像が前記第１の画像よりも手前に位置することが視認されるように表示する、
こと。
（２）  上記（１）の構成の車両用表示装置であって、
前記制御部は、前記第２の画像を、当該第２の画像が徐々に起立することが視認されるように表示する、
こと。
（３）  上記（１）または（２）の構成の車両用表示装置であって、
前記制御部は、前記第２の画像を、当該第２の画像が徐々に大きくなることが視認されるように表示する、
こと。
【００１０】
上記（１）から（３）の構成の車両用表示装置によれば、画像の濃さが同程度になった時点で前後の画像が入れ替わるので、画像が自然に入れ替わるような表示になる。
【００１１】
前述した目的を達成するために、本発明に係る車両用表示装置の表示方法は、下記（４）を特徴としている。
（４）  表示面に各種情報が表示される表示部と、前記表示部に表示される表示内容を制御する制御部とを備えた車両用表示装置の表示方法であって、
前記表示面の任意の領域に表示された第１の画像を第２の画像に切り替える際、前記第１の画像の濃さを徐々に薄くすると同時に前記第２の画像の濃さを徐々に濃くする切替ステップと、
前記切替ステップ中、前記第１の画像の濃さが前記第２の画像の濃さと同程度になる前には、前記第１の画像が前記第２の画像よりも手前に位置することが視認されるように表示する前ステップと、
前記切替ステップ中、前記第１の画像の濃さが前記第２の画像の濃さと同程度になった後には、前記第２の画像が前記第１の画像よりも手前に位置することが視認されるように表示する後ステップと、
を有すること。
【００１２】
上記（４）の構成の車両用表示装置の表示方法によれば、画像の濃さが同程度になった時点で前後の画像が入れ替わるので、画像が自然に入れ替わるような表示になる。
【発明の効果】
【００１３】
本発明によれば、画像の濃さが同程度になった時点で前後の画像が入れ替わるので、画像が自然に入れ替わるような表示になる。従って、画像を入れ替える際、ユーザに違和感を生じさせることなく、画像表示に新鮮味を与えることができる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本実施形態のグラフィックメータ１００のハードウェアの構成例を示したものである。
【図２】図２（Ａ）から図２（Ｃ）は、グラフィックメータ１００の液晶表示器１１１に表示されるグラフィック表示画面１１１ａを示す図である。
【図３】図３は、画像切り替え動作手順を示すフローチャートである。
【図４】図４（Ａ）及び図４（Ｂ）は、グラフィック表示画面１１１ａの第２の表示領域３２に表示される他の画像を示す図である。
【発明を実施するための形態】
【００１６】
本発明の実施形態における車両用表示装置及びその表示方法について図面を用いて説明する。本実施形態の車両用表示装置は、車室内のインストルメントパネルに設置されたグラフィックメータに適用される。
【００１７】
図１は本実施形態のグラフィックメータ１００のハードウェアの構成例を示したものである。図１に示すように、グラフィックメータ１００は、マイクロコンピュータ（ＣＰＵ：Central Processing Unit）１０１、読み出し専用メモリ（ＥＥＰＲＯＭ：Electrically Erasable Programmable Read Only Memory）１０２、インタフェース１０３、インタフェース１０４、ＣＰＵ電源部１０５、グラフィックコントローラ１０６、フレームメモリ１０７、Ｘドライバ１０８、Ｙドライバ１０９、ＬＣＤ（Liquid Crystal Display）電源部１１０、及び液晶表示器（ＴＦＴ−ＬＣＤ：Thin Film Transistor Liquid Crystal Display）１１１を備えている。
【００１８】
マイクロコンピュータ（ＣＰＵ）１０１は、予め用意されたプログラムを実行し、グラフィックメータ１００の機能を実現するために必要な様々な処理を行う。例えば、後述する図３のフローチャートに示した処理をマイクロコンピュータ１０１（制御部）が行う。
【００１９】
読み出し専用メモリ１０２は、マイクロコンピュータ１０１が実行するプログラムの内容や、予め用意された各種の画像データや固定データなどを保持している。
【００２０】
インタフェース１０３は、車両側のイグニッションスイッチの状態を表す信号（ＩＧＮ＋）をマイクロコンピュータ１０１に入力する。
【００２１】
インタフェース１０４は、マイクロコンピュータ１０１と車両側の各種制御装置（ＥＣＵ：Electric Control Unit）との間で、ＣＡＮ（Controller Area Network）規格による通信を行うために利用される。具体的には、現在の車両の走行速度、エンジン回転速度、冷却水温、燃料量、クラッチ接続の有無等の現在の様々な車両状態を表すデータが、ほぼリアルタイムのデータとして車両側からインタフェース１０４を介してマイクロコンピュータ１０１に入力される。
【００２２】
例えば、インタフェース１０４は、車両が所定量移動する毎に当該車両側に搭載された速度センサから出力される車速パルス信号を受け付け、現在の車両の走行速度の値を表す走行速度情報としてマイクロコンピュータ１０１に出力する。
【００２３】
また、インタフェース１０４は、エンジンの回転数を検出するエンジン回転数（ＮＥ）センサから出力されるパルス信号を受け付け、エンジン回転数情報としてマイクロコンピュータ１０１に出力する。また、インタフェース１０４は、燃料センサによって検出された燃料量の情報を受け付け、マイクロコンピュータ１０１に出力する。また、インタフェース１０４は、ラジエータ内の冷却水の温度を検出する水温センサからの信号を受け付け、冷却水温情報としてマイクロコンピュータ１０１に出力する。
【００２４】
インタフェース１１５は、液晶表示器１１１に表示されるグラフィック画面を切り替える操作等を指示するスイッチ（例えば、ステアリングスイッチ）に接続され、ユーザからの操作指示を受け付け、マイクロコンピュータ１０１に出力する。また、インタフェース１１５は、オーディオ機器の状態データ、カメラで撮影された映像データ、ナビゲーション画像データ等の各種データを受け付け、画像情報としてマイクロコンピュータ１０１に出力する。
【００２５】
ＣＰＵ電源部１０５は、車両側のプラス側電源ライン（＋Ｂ）から供給される直流電力を入力してマイクロコンピュータ１０１の動作に必要な直流電圧（Ｖｃｃ）を生成する。また、必要に応じてリセット信号を生成したり、マイクロコンピュータ１０１から出力されるスリープ信号に従って電力供給を抑制するための動作も行う。
【００２６】
液晶表示器１１１は、液晶デバイスにより構成された多数の微小表示セルをＸ方向およびＹ方向に並べて配置されたカラーの２次元表示画面を有している。多数の微小表示セルの表示状態をセル毎に個別に制御することにより、２次元表示画面上に図形、文字、画像等の所望の情報をグラフィック表示することができる。
【００２７】
液晶表示器１１１（表示部）は、２次元画面表示によってグラフィックメータ（単に、メータともいう）１００のグラフィック表示画面（表示面）１１１ａを表示する。
【００２８】
液晶表示器１１１の表示画面のＹ方向の走査位置は、Ｙドライバ１０９の出力により順次に切り替わる。Ｙドライバ１０９は、グラフィックコントローラ１０６から出力される垂直同期信号に同期して、Ｙ方向の走査位置を順次に切り替える。
【００２９】
Ｘドライバ１０８は、グラフィックコントローラ１０６から出力される水平同期信号に同期して液晶表示器１１１の表示画面のＸ方向の走査位置を順次に切り替える。また、Ｘドライバ１０８はグラフィックコントローラ１０６から出力されるＲＧＢ各色の画像データを走査位置の表示セルに与えて画面中の表示内容を制御する。
【００３０】
グラフィックコントローラ１０６は、マイクロコンピュータ１０１から入力される様々な命令に従って、様々なグラフィック要素を液晶表示器１１１の画面上に表示する。実際には、画素毎の表示内容を保持するフレームメモリ１０７に対して、マイクロコンピュータ１０１又はグラフィックコントローラ１０６が表示データを書き込みグラフィックの描画を行う。また、液晶表示器１１１の画面を２次元走査するための垂直同期信号及び水平同期信号を生成し、これらの同期信号に同期したタイミングでフレームメモリ１０７上の該当するアドレスに格納されている表示データを液晶表示器１１１に与える。
【００３１】
ＬＣＤ電源部１１０は、車両側のプラス側電源ライン（＋Ｂ）から供給される直流電力を入力して、液晶表示器１１１の表示に必要とされる所定の直流電力を生成する。
【００３２】
図２（Ａ）から図２（Ｃ）はグラフィックメータ１００の液晶表示器１１１に表示されるグラフィック表示画面１１１ａを示す図である。このグラフィック表示画面１１１ａは、表示される領域がそれぞれ異なる、第１の表示領域（図中、左側の領域）３１と第２の表示領域（図中、中央の領域）３２と第３の表示領域（図中、右側の領域）３３に大別される。
【００３３】
第１の表示領域３１には、現在の車両の走行速度を表示する速度計４１、及び現在の燃料量を表示する燃料計４２が一部重なるように表示される。速度計４１は、速度スケール４５と指針４６を有し、指針４６が速度スケール４５上の目盛り位置を指し示すことで、現在の車両の走行速度を表す。燃料計４２は、燃料量スケール４７と指針４８を有し、指針４８が燃料量スケール４７上の位置を指し示すことで、現在の燃料残量を表す。
【００３４】
第３の表示領域３３には、現在のエンジン回転速度を表示する回転計５１、及び現在の冷却水温を表示する水温計５２が一部重なるように表示される。回転計５１は、回転速度スケール５５と指針５６を有し、指針５６が回転速度スケール５５上の目盛り位置を指し示すことで、現在のエンジンの回転速度を表示する。水温計５２は、温度スケール５７と指針５８を表示し、指針５８が温度スケール５７上の位置を指し示すことで、現在の冷却水温を表す。
【００３５】
第２の表示領域３２は、切り替え可能な各種の画像が表示される領域である。ここでは、デフォルト画像である装飾画像６１（第１の画像）からオーディオ画像７１（第２の画像）に切り替えられる場合を示す。装飾画像６１は、正面上部から見た車両を模した画像（車両画像）である。以降、装飾画像６１を車両画像６１と称する。一方、オーディオ画像７１は、オーディオ機器の状態を表した画像である。ここでは、オーディオ機器の状態として、音源がＣＤであることが表示される。また、音量を表すバーの画像がダイナミックに表示されるとともに、低、中、高の各音域の音量を表すバーの画像が同様にダイナミックに表示される。なお、車両画像６１及びオーディオ画像７１は、表示画像の一例である。
【００３６】
画像の切り替えは、ユーザがスイッチ（例えば、ステアリングスイッチ）を操作することにより指示される。車両画像６１からオーディオ画像７１への切り替えは、本実施形態では、任意の段数で段階的に行われる。なお、連続的に画像の切り替えが行われてもよい。図２（Ａ）に示すように、画像の切り替え当初の初期画面では、オーディオ画像７１は、大きさが小さく、濃さが薄く、車両画像６１の後方（背面）に配置され、倒れた状態からやや起き上がったような、傾きが小さいイメージで表示される。一方、車両画像６１は、濃さが濃く、前方（手前）に配置された状態で表示される。
【００３７】
時間の経過とともに、オーディオ画像７１は、徐々に大きくかつ濃くなり、起き上がろうとするような、傾きが大きくなるイメージで表示される。これと同時に、車両画像６１は、徐々に薄くなっていく。そして、オーディオ画像７１と車両画像６１の濃淡が同程度になると、図２（Ｂ）に示すように、オーディオ画像７１が車両画像６１の前方（手前）に配置される。
【００３８】
そして、画像の切り替えが完了すると、図２（Ｃ）に示すように、オーディオ画像７１は大きくかつ濃く、完全に起き上がったような、正立したイメージで表示される。一方、車両画像６１は消失している。
【００３９】
なお、本実施形態では、オーディオ画像７１の画像を徐々に大きくなるように変化させているが、大きさを変化させることなく、濃さと傾きだけを変化させてもよい。また、オーディオ画像の濃さと傾きを変化させている間は、オーディオ画像の大きさを固定とし、切り替え完了直前に、オーディオ画像を拡大させるようにしてもよい。これにより、視覚効果が高まる。
【００４０】
また、本実施形態では、グラフィックメータ１００を起動させると、常にデフォルトの車両画像６１が表示され、画像の切り替え指示に従って、オーディオ画像７１に切り替えられるが、つぎのようにしてもよい。即ち、グラフィックメータ１００を起動させた際、デフォルトの車両画像６１でなく、前回、グラフィックメータ１００の電源オフ時に表示されていた画像を保持し、それを起動時の画像としてもよい。
【００４１】
なお、第２の表示領域３２の上部には、ウインカによる方向指示を表す矢印画像７５が表示される。
【００４２】
上記構成を有するグラフィックメータ１００の具体的な動作を示す。図３は画像切り替え動作手順を示すフローチャートである。この動作プログラムは、読み出し専用メモリ１０２に記憶されており、マイクロコンピュータ（ＣＰＵ）１０１によって実行される。
【００４３】
まず、運転手は、イグニッションスイッチをオンにする。直流電圧（Ｖｃｃ）が供給されたマイクロコンピュータ１０１は、第１の表示領域３１〜第３の表示領域３３における各種情報の表示を開始する。ここでは、第２の表示領域３２における表示制御について説明する。
【００４４】
マイクロコンピュータ１０１は、インタフェース１１５を介して、ユーザがスイッチ（例えば、ステアリングスイッチ）を操作することによる、画像の切り替え指示を受け付けたか否か、ここでは、オーディオ画像７１を表示するか否かを判別する（ステップＳ１）。画像の切り替え指示を受け付けていない場合、ステップＳ１の処理を繰り返す。
【００４５】
一方、画像の切り替え指示を受け付けた場合、マイクロコンピュータ１０１は、オーディオ画像７１の表示を開始する（ステップＳ２）。切り替え開始当初の初期画面では、図２（Ａ）に示すように、オーディオ画像７１は、大きさが小さく、傾きが小さく、濃さが薄く、かつ車両画像６１の後方に配置されたイメージで表示される。
【００４６】
マイクロコンピュータ１０１は、第２の表示領域３２に表示されたオーディオ画像７１及び車両画像６１に対し、アニメーション処理を実行する（ステップＳ３）。このアニメーション処理では、前述したように、オーディオ画像７１は、大きさが徐々に大きくなり、傾きが徐々に大きくなり、濃さが徐々に濃くなることが視認されるように表示される。一方、車両画像６１は、徐々に薄くなることが視認されるように表示される。ここで、画像のアニメーション処理を行う場合、画像の大きさは、倍率を変更することで調整される。画像の傾きは縦横比を変更することで調整される。画像の濃さは不透明度を変更することで調整される。なお、調整する代わりに、あらかじめ登録しておいた画像を順次選択することでもよい。
【００４７】
マイクロコンピュータ１０１は、オーディオ画像７１と車両画像６１が第１の表示状態になったか否かを判別する（ステップＳ４）。ここで、第１の表示状態とは、オーディオ画像７１と車両画像６１の濃さが同程度になった状態をいう。同程度とは、見かけ上、同じ濃さであると視認される許容範囲内であればよい。
【００４８】
第１の表示状態になっていない場合、マイクロコンピュータ１０１は、ステップＳ３の処理に戻る。一方、オーディオ画像７１と車両画像６１が第１の表示状態になった場合、マイクロコンピュータ１０１は、図２（Ｂ）に示すように、第２の表示領域３２に配置されるオーディオ画像７１と車両画像６１の前後の順序を変更する（ステップＳ５）。
【００４９】
その後、マイクロコンピュータ１０１は、第２の表示領域３２に表示されたオーディオ画像７１及び車両画像６１に対し、更にアニメーション処理を続行する（ステップＳ６）。このアニメーション処理では、オーディオ画像７１は、さらに、大きさが大きくなり、傾きが大きくなり、濃さが濃くなるように表示される。一方、車両画像６１は、徐々に消えていくように表示される。
【００５０】
マイクロコンピュータ１０１は、オーディオ画像７１が第２の表示状態になったか否かを判別する（ステップＳ７）。ここで、第２の表示状態とは、オーディオ画像７１の表示が完了した状態、つまり、オーディオ画像７１の傾きが正立した角度になった状態をいう。
【００５１】
第２の表示状態になっていない場合、マイクロコンピュータ１０１は、ステップＳ６の処理に戻る。一方、オーディオ画像７１が第２の表示状態になった場合、マイクロコンピュータ１０１は、アニメーション処理を停止させ、図２（Ｃ）に示すように、第２の表示領域３２にオーディオ画像７１のみを表示させる（ステップＳ８）。なお、車両画像６１は、第２の表示領域３２から消えている。この後、マイクロコンピュータ１０１は、ステップＳ１の処理に戻り、次の画像の切り替え操作を待つ。
【００５２】
本実施形態のグラフィックメータ１００によれば、画像の濃さが同程度になった時点で前後の画像が入れ替わるので、画像が自然に入れ替わるような表示になる。従って、画像を入れ替える際、ユーザに違和感を生じさせることなく、画像表示に新鮮味を与えることができる。
【００５３】
また、オーディオ画像が起立するように、つまり、徐々に起き上がるように表示されるので、ユーザは画像の切り替わりを把握しやすい。また、オーディオ画像の大きさが徐々に大きくなるので、画像が切り替わっていく様子を把握し易い。
【００５４】
なお、オーディオ画像からデフォルト画像である元の車両画像に戻る際も、同様の切り替え手順で画像の入れ替えが行われる。
【００５５】
（変形例）
上記実施形態では、第２の表示領域３２に、遷移後の画像として、オーディオ画像が表示される場合を示したが、その他の画像が表示されてもよい。
【００５６】
図４（Ａ）及び図４（Ｂ）はグラフィック表示画面１１１ａの第２の表示領域３２に表示される他の画像を示す図である。図４（Ａ）は第２の画像としてナビゲーション画像８１が表示される場合を示す。第２の表示領域３２にナビゲーション画像８１が表示されることで、運転者はナビゲーション画像を視認し易くなる。
【００５７】
図４（Ｂ）は第２の画像として車内カメラによって撮影された後部座席の映像９１が表示される場合を示す。第２の表示領域３２に後部座席の映像９１が表示されることで、運転者は振り向くことなく、後部座席を確認しつつ運転を行うことができる。
【００５８】
なお、本発明は、上記実施形態の構成に限られるものではなく、本実施形態の構成が持つ機能を達成できる構成であればどのようなものであっても適用可能である。
【００５９】
例えば、上記実施形態では、画像は、アニメーション処理により、その大きさ、傾き、濃さが任意の段数で段階的に変化するように切り替えられたが、段数を増やして見かけ上、連続的に切り替えられるようにしてもよい。
【００６０】
また、上記実施形態では、アニメーション処理による画像の切り替えに要する時間は、固定値であったが、ユーザが任意に設定可能であってもよい。
【００６１】
また、上記実施形態では、切り替え可能な画像は、グラフィック表示画面の中央位置にある第２の表示領域に表示される場合を示したが、グラフィック画面の任意の領域に表示されてもよい。
【００６２】
また、切り替え完了後の画像が同じである限り、遷移する画像の変化には、大きさ、傾き、濃さの他、回転や変形等を加えてもよく、バリエーションに富んだ表現が可能となる。
【００６３】
また、上記実施形態では、遷移後の画像として、グラフィック画像であるオーディオ画像が入れ替わるように表示されたが、その他、メッセージ等のテキスト情報、カメラで撮影された映像、記録媒体に登録されたアニメーション等が表示されてもよい。
【００６４】
また、グラフィック表示画面の少なくとも一部を、ユーザがタッチ操作可能なタッチパネルで構成してもよい。この場合、ユーザは、グラフィック表示画面に表示された画像を見ながら直接操作することが可能である。
【００６５】
本発明は、画像を入れ替える際、ユーザに違和感を生じさせることなく、画像表示に新鮮味を与えることができ、有用である。
【符号の説明】
【００６６】
３１  第１の表示領域
３２  第２の表示領域
３３  第３の表示領域
４１  速度計
４２  燃料計
４５  速度スケール
４６、４８、５６、５８  指針
４７  燃料量スケール
５１  回転計
５２  水温計
５５  回転速度スケール
５７  温度スケール
６１  車両画像（装飾画像）
７１  オーディオ画像
７５  矢印画像
８１  ナビゲーション画像
９１  後部座席の映像
１００  グラフィックメータ
１０１  マイクロコンピュータ
１０２  読み出し専用メモリ
１０３、１０４、１１５  インタフェース
１０５  ＣＰＵ電源部
１０６  グラフィックコントローラ
１０７  フレームメモリ
１０８  Ｘドライバ
１０９  Ｙドライバ
１１０  ＬＣＤ電源部
１１１  液晶表示器
１１１ａ  グラフィック表示画面
【図１】
2014156189.tif 000003
【図２】
2014156189.tif 000004
【図３】
2014156189.tif 000005
【図４】
2014156189.tif 000006